(57)【要約】【課題】本発明の課題は、全身に湯水をくまなくかけることができ、しかも取付け工事を要することなく浴室の所望の場所に簡単に設置できる全身シャワー装置を提供することにある。【解決手段】椅子２の背面にシャワーユニット３を取り付ける。本発明のシャワーユニット付き椅子１は椅子２の背面にシャワーユニット３を取り付けているのでシャワーユニット３と共に椅子２を所望の位置に置くことが出来る。【選択図】    図１２
2004223060.tif 000002
【特許請求の範囲】
【請求項１】
椅子の背面にシャワーユニットを取り付けたことを特徴とするシャワーユニット付き椅子。
【請求項２】
該シャワーユニットは椅子の背面に上下位置調節可能に取り付けられている請求項１に記載のシャワーユニット付き椅子。
【請求項３】
該シャワーユニットには浴室のハンドシャワー経路から分岐して湯水が供給される請求項１〜２に記載のシャワーユニット付き椅子。
【請求項４】
該椅子にはアームレストが設けられている請求項１〜３に記載のシャワーユニット付き椅子。
【請求項５】
該椅子は左右一対の前脚および後脚を有し、該前脚と該後脚とは長さ調節可能にされている請求項１〜４に記載のシャワーユニット付き椅子。
【請求項６】
該椅子の背面には上下に複数個のスリットを設けた取付け板が取り付けられ、該シャワーユニットの背面には鉤状係止板が差し出された取付け板が取り付けられ、該椅子の取付け板の複数個のスリットのうちのひとつを選んで該シャワーユニットの取付け板の鉤状係止板を差し込み係合して上下位置決めを行い、該シャワーユニットの取付け板をビスによって該椅子の取付け板に固定した請求項１〜５に記載のシャワーユニット付き椅子。
【請求項７】
該椅子の背面には左右一対のステーが立設され、該左右一対のステーには両側に該ステーの摺動孔を有する摺動板が上下摺動可能に取り付けられ、該摺動板は摺動孔を介して該ステーにねじ止めすることによって任意の上下位置に固定され、該シャワーユニットの取付け板の鉤状係止板を該摺動板の上縁に係合しかつビスによって該摺動板に固定した請求項１〜５に記載のシャワーユニット付き椅子。
【請求項８】
該椅子の背面には左右一対の摺動孔が設けられ、該摺動孔には左右一対のステーを有する摺動板が上下摺動可能に取り付けられ、該摺動板は摺動孔を介して該ステーにねじ止めすることによって任意の上下位置に固定され、該シャワーユニットの取付け板の鉤状係止板を該摺動板の上縁に係合しかつビスによって該摺動板に固定した請求項１〜５に記載のシャワーユニット付き椅子。
【請求項９】
該椅子は左右アームレストと、該アームレスト前部から前下方に延設される前脚と、該アームレストの前脚延設部より後側の位置に上端部を枢着されている後脚と、該左右一対の後脚部の中間に後縁を枢着差し渡され前部を該左右一対の前脚部に解離可能に支持されている座部と、アームレストの後端に支持アームを介して立ち上げ状態から前下方に折り畳み状態まで回動可能に取り付けられている背当板とからなり、該背当板に該シャワーユニットを取り付けるための取り付け板が着脱可能に取り付けられており、使用状態では該前脚と該後脚とを開いて座部を水平状態に支持し、かつ背当板を支持アームを介して立ち上げ状態とし、折り畳み状態では該座部を跳ね上げ状態にしかつ該前脚と該後脚とを閉じ、さらに該背当板を支持アームを介して前下方に折り畳む構造である請求項６に記載のシャワーユニット付き椅子。
【請求項１０】
該シャワーユニットは表面側に複数個のシャワーノズルを有する本体と、該本体上端に取り付けられ表面側に複数個のシャワーノズルを有する首当部と、該本体下端に取り付けられ表面側に複数個のシャワーノズルを有する腰当部と、該本体上部両側に前後回動可能に取り付けられ下面に複数個のシャワーノズルを有するアームとからなる請求項１〜９に記載のシャワーユニット付き椅子。
【請求項１１】
該シャワーノズルは首振り回動可能に取り付けられている請求項１０に記載のシャワーユニット付き椅子。
【請求項１２】
該シャワーユニットの本体の表面側には複数個のシャワーノズルが左右上下に配置されており、アーム下面に取り付けられている複数個のシャワーノズルと、該本体の下部に配置されている複数個のシャワーノズルと、首当部の表面側に取り付けられている複数個のシャワーノズルとから湯水を噴射する全身モードと、本体上部に配置されている複数個のシャワーノズルと腰当部に取り付けられている複数個のシャワーノズルとから湯水を噴射する肩腰モードとに切換え可能にされている請求項１０〜１１に記載のシャワーユニット付き椅子。
【発明の詳細な説明】
【０００１】
【発明の属する技術分野】
本発明は浴室等に置かれるシャワーユニット付き椅子に関するものである。
【０００２】
【従来の技術】
従来バックフレームと手擦りとに多数の小孔群を設け、該小孔群から湯水を噴射させるシャワー浴装置（特許文献１参照）や、シャワーユニットを浴室壁に取り付けるシャワー装置が提供されている（特許文献２参照）。
【０００３】
【特許文献１】
実開平６−６６６７２号公報
【特許文献２】
特開平１０−２８６５６号公報
【０００４】
【発明が解決しようとする課題】
上記従来のシャワー浴装置では湯水の噴射位置がバックフレームと手擦りとに限られ、全身に湯水をくまなくかける調整が困難であった。また浴室壁に取り付けるシャワー装置ではシャワーユニット取付け場所が壁面に限られ、介助者が背後から被介助者の体を洗うことが出来ないという問題点があり、さらに浴槽から桶に湯水を汲んで被介助者にかける時、シャワーユニットが浴槽から離れており不便であり、また壁への取付け工事が必要であるという問題点もあった。
【０００５】
【課題を解決するための手段】
本発明は上記従来の課題を解決するための手段として、椅子（２）  の背面にシャワーユニット（３）  を取り付けたシャワーユニット付き椅子（１）  を提供するものである。該シャワーユニット（３）  は椅子（２）  の背面に上下位置調節可能に取り付けられていることが望ましく、更に該シャワーユニット（３）  には浴室のハンドシャワー経路から分岐して湯水が供給されることが望ましく、また更に該椅子（１）  にはアームレスト（２２）が設けられていることが望ましい。また更に該椅子（１）  は左右一対の前脚（２３）および後脚（２４）を有し、該前脚（２３）と該後脚（２４）とは長さ調節可能にされていることが望ましい。
【０００６】
例えば該椅子（２）  の背面には上下に複数個のスリット（２７Ａ）  を設けた取付け板（２７）が取り付けられ、該シャワーユニット（３）  の背面には鉤状係止板（３５Ａ）  が差し出された取付け板（３５）が取り付けられ、該椅子（２）  の取付け板（２７）の複数個のスリット（２７Ａ）  のうちのひとつを選んで該シャワーユニット（３）  の取付け板（３５）の鉤状係止板（３５Ａ）  を差し込み係合して上下位置決めを行い、該シャワーユニット（３）  の取付け板（３５）をビス（３５Ｃ）  によって該椅子（２）  の取付け板（２７）に固定する。
【０００７】
また該椅子（４）  の背面には左右一対のステー（４４，４４）  が立設され、該左右一対のステー（４４，４４）  には両側に該ステー（４４，４４）  の摺動孔（４５Ａ，４５Ａ）  を有する摺動板（４５）が上下摺動可能に取り付けられ、該摺動板（４５）は摺動孔（４５Ａ，４５Ａ）  を介して該ステー（４４，４４）  にねじ止め（４６）することによって任意の上下位置に固定され、該シャワーユニット（３）  の取付け板（３５）の鉤状係止板（３５Ａ）  を該摺動板（４５）の上縁に係合しかつビスによって該摺動板（４５）に固定する。
【０００８】
また該椅子（２’）の背面には左右一対の摺動孔（２９Ａ，２９Ａ）  が設けられ、該摺動孔（２９Ａ，２９Ａ）  には左右一対のステー（５１，５１）  を有する摺動板（５）  が上下摺動可能に取り付けられ、該摺動板（５）  は摺動孔（２９Ａ，２９Ａ）  を介して該ステー（５１，５１）  にねじ止め（５２）することによって任意の上下位置に固定され、該シャワーユニット（３）  の取付け板（３５）の鉤状係止板（３５Ａ）  を該摺動板（５）  の上縁に係合しかつビスによって該摺動板（５）  に固定する。
【０００９】
更に該椅子（２）  は左右アームレスト（２２）と、該アームレスト（２２）前部から前下方に延設される前脚（２３）と、該アームレスト（２２）の前脚（２３）延設部より後側の位置に上端部を枢着されている後脚（２４）と、該左右一対の後脚（２４）の中間に後縁部を枢着差し渡され前部を該左右一対の前脚（２３）に解離可能に支持されている座部（２５）と、アームレスト（２２）の後端に支持アーム（２１）を介して立ち上げ状態から前下方に折り畳み状態まで回動可能に取り付けられている背当板（２６）とからなり、該背当板（２６）に該シャワーユニット（３）  を取り付けるための取り付け板（２７）が着脱可能に取り付けられており、使用状態では該前脚（２３）と該後脚（２４）とを開いて座部（２５）を水平状態に支持し、かつ背当板（２６）を支持アーム（２１）を介して立ち上げ状態とし、折り畳み状態では該座部（２５）を跳ね上げ状態にしかつ該前脚（２３）と該後脚（２４）とを閉じ、さらに該背当板（２６）を支持アーム（２１）を介して前下方に折り畳む構造であることが望ましい。
【００１０】
該シャワーユニット（３）  は表面側に複数個のシャワーノズル（３１Ａ）  を有する本体（３１）と、該本体（３１）上端に取り付けられ表面側に複数個のシャワーノズル（３２Ａ）  を有する首当部（３２）と、該本体（３１）下端に取り付けられ表面側に複数個のシャワーノズル（３３Ａ）  を有する腰当部（３３）と、該本体（３１）上部両側に前後回動可能に取り付けられ下面に複数個のシャワーノズル（３４Ａ）  を有するアーム（３４）とからなることが望ましい。
更に該シャワーノズル（３１Ａ，３２Ａ，３３Ａ，３４Ａ）  は首振り回動可能に取り付けられていることが望ましい。
【００１１】
更に該シャワーユニット（３）  の本体（３１）の表面側には複数個のシャワーノズル（３１Ａ）  が左右上下に配置されており、アーム（３４）下面に取り付けられている複数個のシャワーノズル（３４Ａ）  と、該本体（３１）の下部に配置されている複数個のシャワーノズル（３１Ａ）  と、首当部（３２）の表面側に取り付けられている複数個のシャワーノズル（３２Ａ）  とから湯水を噴射する全身モードと、本体（３１）上部に配置されている複数個のシャワーノズル（３１Ａ）  と腰当部（３３）に取り付けられている複数個のシャワーノズル（３３Ａ）  とから湯水を噴射する肩腰モードとに切換え可能にされていることが望ましい。
【００１２】
【作用】
〔請求項１〕
本発明のシャワーユニット付き椅子（１）  は椅子（２）  の背面にシャワーユニット（３）  を取り付けているのでシャワーユニット（３）  と共に椅子（２）  を所望の位置に置くことが出来る。
〔請求項２〕
該シャワーユニット（３）  は椅子（２，２’，４）の背面に上下位置調節可能に取り付けられているので、使用者の体形に対応してシャワーユニット（３）  の上下位置を調節することが可能である。
〔請求項３〕
また該シャワーユニット（３）  には浴室のハンドシャワー経路から分岐して湯水が供給されるので、シャワーユニット（３）  からのシャワーの他、所望なればハンドシャワーによっても湯水をかけることが出来る。
〔請求項４〕
該椅子（１）  にはアームレスト（２２）が設けられているので椅子（１）  に腰かけた使用者は腕を該アームレスト（２２）に載せて支えることが出来、シャワー浴がより楽に出来るようになる。
〔請求項５〕
該椅子（１）  は左右一対の前脚（２３）と後脚（２４）とを有しており、該前脚（２３）と該後脚（２４）とを長さ調節することによって、使用者の体形に応じて椅子（２）  の高さを変えることが出来る。
【００１３】
〔請求項６〕
シャワーユニット（３）  の上下位置を段階的に調節するには例えば該椅子（２）  の背面に上下に複数個のスリット（２７Ａ）  を設けた取付け板（２７）を取り付け、該シャワーユニット（３）  の背面に鉤状係止板（３５Ａ）  が差し出された取付け板（３５）を取り付け、該椅子（２）  の取付け板（２７）の複数個のスリット（２７Ａ）  のうちのひとつを選んで該シャワーユニット（３）  の取付け板（３５）の鉤状係止板（３５Ａ）  を差し込み係合して上下位置決めを行い、該シャワーユニット（３）  の取付け板（３５）をビス（３５Ｃ）  によって該椅子（２）  の取付け板（２７）に固定する。
〔請求項７〕
シャワーユニット（３）  の上下位置を連続的に調節するには例えば該椅子（４）  の背面には左右一対のステー（４４，４４）  を立設し、該左右一対のステー（４４，４４）  には両側に該ステー（４４，４４）  の摺動孔（４５Ａ，４５Ａ）  を有する摺動板（４５）が上下摺動可能に取り付け、該摺動板（４５）は摺動孔（４５Ａ，４５Ａ）  を介して該ステー（４４，４４）  にねじ止めすることによって任意の上下位置に固定され、該シャワーユニット（３）  の取付け板（３５）の鉤状係止板（３５Ａ）  を該摺動板（４５）の上縁に係合しかつビスによって該摺動板（４５）に固定する。
【００１４】
〔請求項８〕
または該椅子（２’）の背面には左右一対の摺動孔（２９Ａ，２９Ａ）  を設け、該摺動孔（２９Ａ，２９Ａ）  には左右一対のステー（５１，５１）  を有する摺動板（５）  が上下摺動可能に取り付け、該摺動板（５）  は摺動孔（２９Ａ，２９Ａ）  を介して該ステー（５１，５１）  にねじ止めすることによって任意の上下位置に固定され、該シャワーユニット（３）  の取付け板（３５）の鉤状係止板（３５Ａ）  を該摺動板（５）  の上縁に係合しかつビスによって該摺動板（５）  に固定する。
〔請求項９〕
不使用時にはシャワーユニット（３）  を椅子（２，２’，４）から取り外し、椅子（２，２’，４）を折り畳んでコンパクトに収納出来る。
【００１５】
〔請求項１０〕
該シャワーユニット（３）  は本体（３１）、首当部（３２）、腰当部（３３）、アーム（３４）のいずれにもシャワーノズル（３１Ａ，３２Ａ，３３Ａ，３４Ａ）  が取り付けられており、全身にくまなく湯水をかけて浴槽入浴と同等の温熱効果を得ることが可能である。また浴槽入浴と比べると使用湯水量が少なくなる。
〔請求項１１〕
該シャワーノズル（３１Ａ，３２Ａ，３３Ａ，３４Ａ）  は首振り回動可能に取り付けられているので、シャワーの噴射方向を任意に調節できる。
【００１６】
〔請求項１２〕
該シャワーユニット（３）  の本体の表面側には複数個のシャワーノズル（３１Ａ）  が左右上下に配置されており、アーム（３４）下面に取り付けられている複数個のシャワーノズル（３４Ａ）  と、該本体（３１）の下部に配置されている複数個のシャワーノズル（３１Ａ）  と、首当部（３２）の表面側に取り付けられている複数個のシャワーノズル（３２Ａ）  とから湯水を噴射する全身モードと、本体（３１）上部に配置されている複数個のシャワーノズル（３１Ａ）  と腰当部（３３）に取り付けられている複数個のシャワーノズル（３３Ａ）  とから湯水を噴射する肩腰モードとに切換え可能にされているので、所望により全身モードと肩腰モードとに切り替えることが出来る。肩腰モードではツボを刺激し、温熱効果とマッサージ効果の両方が得られる。
【００１７】
【発明の実施の形態】
本発明を図１〜図１７に示す一実施例によって説明する。
図１に示すシャワーユニット付き椅子（１）  は椅子（２）  および該椅子（２）  の背面に取り付けられているシャワーユニット（３）  とからなる。
【００１８】
図２に示すように該椅子（２）  は左右一対のアームレスト（２２）と、該アームレスト（２２）前部から前下方に延設される左右一対の前脚（２３，２３）  と、該アームレスト（２２）の前脚（２３）延設部より後側の位置に上端部を枢着されている左右一対の後脚（２４，２４）  と、該左右一対の後脚（２４）の中間に後縁部を枢着差し渡され前部を該左右一対の前脚（２３，２３）  に解離可能に支持されている座部（２５）と、該アームレスト（２２）の後端に支持アーム（２１）を介して立ち上げ状態から前下方に折り畳み状態まで一対の円盤部材（６Ａ，６Ｂ）  により回動可能に取り付けられている背当板（２６）とからなる。
【００１９】
該前脚（２３，２３）  間には上側バー（２３Ｄ）  および下側バー（２３Ｅ）  が差し渡され、該後脚（２４，２４）  間には後側バー（２４Ｄ）  が差し渡されており、該上側バー（２３Ｄ）  は該座部（２５）下面に設けられた左右一対のグリップ（２５Ｂ，２５Ｂ）  （図１６に示す）に係合して該座部（２５）を水平状態に保ち、該下側バー（２３Ｅ）  は該座部（２５）の下面後側に根端を前後回動可能に取り付けられている左右一対の開脚支持杆（２８，２８）  の下部に設けられた係合フック（２８Ａ）  に係合して該椅子（２）  を開脚状態に保っている。また該前脚（２３）および後脚（２４）にはそれぞれ摺動脚部（２３Ａ，２４Ａ）  が上下スライド可能に嵌挿され、該摺動脚部（２３Ａ，２４Ａ）  上端に取り付けられている締め付けリング（２３Ｃ，２４Ｃ）  により締め付け固定されており、該摺動脚部（２３Ａ，２４Ａ）  の下端には滑り止めのゴム足（２３Ｂ，２４Ｂ）  が取り付けられている。また該座部（２５）上面には複数個の水抜孔（２５Ａ）  が設けられており、
【００２０】
該支持アーム（２１）は略コの字形であり、左右両端には図３に示すようにアーム側円盤部材（６Ａ）が設けられている。該アーム側円盤部材（６Ａ）は、内側中心部に軸受凹部（６１Ａ）  およびその外側にストッパー（６２Ａ）  が設けられ、内側の上部周縁部には係止凹部（６３Ａ）  が設けられている。またアームレスト（２２）の後端は上側に屈曲され、その先端には該アーム側円盤部材（６Ａ）と接合するアームレスト側円盤部材（６Ｂ）が設けられている。該アームレスト側円盤部材（６Ｂ）は外側中心部に軸（６１Ｂ）  およびその外周側に半円状ガイド凹部（６２Ｂ）  が設けられ、外側の上部周縁部にはガイド溝（６３Ｂ）  が設けられている。
【００２１】
該ガイド溝（６３Ｂ）  は図４に示すように中心（奥端）方向に向けて広いテーパー形状であり、底面には外側に高くなるように係止段部（６５Ｂ）  が設けられている。また該ガイド溝（６３Ｂ）  の外側方向（アーム側円盤部材との接合面側）の底面端縁には山形突條（６４Ｂ）  が設けられている。
該アーム側円盤部材（６Ａ）と該アームレスト側円盤部材（６Ｂ）は該軸（６１Ｂ）  を該軸受け凹部（６１Ａ）  に嵌合し、該ストッパー（６２Ａ）  を半円状ガイド凹部（６２Ｂ）  に収納するように接合面を向き合わせて回動可能に枢着される。
【００２２】
枢着された該アーム側円盤部材（６Ａ）とアームレスト側円盤部材（６Ｂ）は使用状態では該ガイド溝（６３Ｂ）  と係止凹部（６３Ａ）  が適合する位置に回動され図５に示す係止片（６Ｃ）を該ガイド溝（６３Ｂ）  にスライド嵌合してロックされる。
該係止片（６Ｃ）は断面が外周方向に向けて狭くなるテーパー形状で、上面には滑り止め突條（６１Ｃ）  の複数本が設けられ、下面には一本の係止突條（６２Ｃ）  が設けられている。該係止片（６Ｃ）は、図６イに示すようにロック状態ではアーム側円盤部材（６Ａ）までスライドされて該一対の円盤部材（６Ａ，６Ｂ）  の回動を規制し、該一対の円盤部材（６Ａ，６Ｂ）  を回動するときは図６ロに示すように該係止片（６Ｃ）を外側にスライドさせる。このとき該係止片（６Ｃ）の係止突條（６２Ｃ）  は山形突條（６４Ｂ）  を乗り越え、該係止片（６Ｃ）が該山形突條（６４Ｂ）  を乗り越えた後は、該係止突條（６２Ｃ）  が係止段部（６５Ｂ）  に係止されて抜け止めされる。図７に示すように該ガイド溝（６３Ｂ）  は中心方向に向けて広いテーパー形状であり、該係止片（６Ｃ）は断面外周方向に向けて狭くなるテーパー形状であるので、該円盤部材（６Ａ，６Ｂ）  の回動時でも該係止片（６Ｃ）は外周方向に飛び出すことはない。
【００２３】
該背当板（２６）には図８に示す取付け板（２７）が取り付けられている。該取付け板（２７）には中央部に縦方向に一列に例えば７個のスリット（２７Ａ）  が所定間隔で設けられ、側部からは左右一対の鉤状係止板（２７Ｂ，２７Ｂ）  が差し出されており、該鉤状係止板（２７Ｂ，２７Ｂ）  を図９に示すように該背当板（２６）の上縁凹部（２６Ａ）  に係合して該背当板（２６）に取り付けられている。
【００２４】
該取付け板（２７）にはシャワーユニット（３）  が取り付けられる。該シャワーユニット（３）  は図１に示されるように縦長略楕円板状の本体（３１）と、該本体（３１）の上端に取り付けられている首当て部（３２）と、該本体（３１）の下端に取り付けられている腰当部（３３）と、該本体（３１）の上部の両側に本体（３１）側部に沿わせた収納状態と前方に倒して差し出した使用状態との間で前後回動可能に取り付けられている一対のアーム（３４，３４）  とからなる。該本体（３１）の表面側には例えば４個の凹部（３１Ｂ）  が設けられ、該首当て部（３２）および該腰当部（３３）にはそれぞれ２個の凹部（３２Ｂ，３３Ｂ）  が設けられ、各凹部（３１Ｂ，３２Ｂ，３３Ｂ）  にはシャワーノズル（３１Ａ，３２Ａ，３３Ａ）  が首振り回動可能に取り付けられ、該一対のアーム（３４，３４）  の下面にもそれぞれ４個のシャワーノズル（３４Ａ）  が首振り回動可能に取り付けられている。
また該本体（３１）の背面には図１０に示すように鉤状係止板（３５Ａ）  が差し出された取付け板（３５）が取り付けられており、該腰当部（３３）の側部には操作レバー（３７）が差し出され、該腰当部（３３）の下端にはシャワーホースの差込口（３６）が設けられている。
【００２５】
該シャワーユニット（３）  は、図１１に示すように該椅子（２）  の取付け板（２７）の複数個のスリット（２７Ａ）  のうちのひとつを選んで該シャワーユニット（３）  の取付け板（３５）の鉤状係止板（３５Ａ）  を該椅子（２）  の取付け板（２７）のスリット（２７Ａ）  に差込係合して位置決めを行い、該シャワーユニット（３）  の取付け板（３５）をビス（３５Ｃ）  によって該椅子（２）  の取付け板（２７）に固定して取り付けられる。
【００２６】
該シャワーノズル（３１Ａ，３２Ａ，３３Ａ，３４Ａ）  は、大粒の湯水が渦巻状に旋回して噴出する旋回ノズルと、円錐状に大きく広がる細かな湯水が噴出する広角ノズルと、面状に広がるシャワーがカーテンの役割をし、回りの冷気を遮断する扇ノズルとが所望のあたため効果または刺激効果が得られるよう本体（３１）の上側一対のシャワーノズル（３１Ａ）  と腰当部（３３）および左右のアーム（３４）の先端の二対のシャワーノズル（３３Ａ，３４Ａ）  は旋回ノズルとされ、首当部（３２）およびアーム（３４）の中央部の一対のシャワーノズル（３２Ａ，３４Ａ）  は扇ノズルとされ、本体（３１）の下側の一対のシャワーノズル（３１Ａ）  とアーム（３４）の根端側の一対のシャワーノズル（３４Ａ）  は広角ノズルとされている。さらにアーム（３４）下面に取り付けられているのシャワーノズル（３４Ａ）  と、該本体（３１）の下部に配置されている一対のシャワーノズル（３１Ａ）  と、首当部（３２）の表面側に取り付けられているシャワーノズル（３２Ａ）  とから湯水を噴射する全身モードと、本体（３１）上部に配置されている一対のシャワーノズル（３１Ａ）  と腰当部（３３）に取り付けられているシャワーノズル（３３Ａ）  とから湯水を噴射する肩腰モードとに操作スイッチ（３７）により切換え可能にされている。
このような全身シャワーでは１ＣＣ  あたり３０００個のマイナスイオンが発生するのでリフレッシュ効果をも有する。
【００２７】
該シャワーユニット（３）  は、例えばポリエチレン、ポリプロピレン等の熱可塑性樹脂を材料として例えばブロー成形や射出成形等によって製造される。
【００２８】
該シャワーユニット付き椅子（１）  を使用するには、該シャワーユニット付き椅子（１）  を浴室の所望の位置に設置し、浴室のカランのシャワー経路から分岐したシャワーホース（３８）をシャワーユニット（３）  の差込口（３６）に接続する。そしてシャワーユニット（３）  の左右のアーム（３４，３４）  を図１２に示すように回動させて側方に広げ、椅子（２）  に座って操作レバー（３７）を操作して所望のモードにして温水を噴出させる。該椅子（２）  の座部（２５）上面には複数個の水抜き孔（２５Ａ）  が設けられているので、座部（２５）に水が溜まらないので快適に全身シャワーが楽しめる。
【００２９】
該シャワーユニット付き椅子（１）  を使用しないときには、該椅子（２）  の開脚支持杆（２８，２８）  の係合フック（２８Ａ）  を前脚（２３，２３）  間に差し渡されている下側バー（２３Ｅ）  からはずして、該座部（２５）の下面のグリップ（２５Ｂ，２５Ｂ）  から前脚（２３，２３）  間に差し渡されている上側バー（２３Ｄ）  をはずして、図１３に示すように該座部（２５）を跳ね上げ状態にしかつ該前脚（２３）と該後脚（２４）とを閉じて折り畳む。この状態で浴室の壁等に立てかけておけば邪魔にならない。
【００３０】
さらに該シャワーユニット（３）  の取付け板（３５）と椅子（２）  の取付け板（２７）を固定しているビス（３５Ｃ）  を取りはずし、該取付け板（３５）の鉤状係止板（３５Ａ）  を該取付け板（２７）のスリット（２７Ａ）  から引き抜き、シャワーユニット（３）  を椅子（２）  から取りはずす。そして該アームレスト（２２）の後端に支持アーム（２１）を介して取  り付けられている背当板（２６）を立ち上げ状態から前下方に折り畳み状態まで回動し、前下方に折り畳む。さらに該前脚（２３）と該後脚（２４）の締め付けリング（２３Ｃ）  を緩め各摺動脚部（２３Ａ，２４Ａ）  をそれぞれ前脚（２３）と後脚（２４）の奥端まで挿入して短くする。このようにして該シャワーユニット付き椅子（１）  は、図１４に示すように不使用時にはシャワーユニット（３）  を椅子（２）  から取り外し、椅子（２）  を折り畳んでコンパクトに収納出来る。
【００３１】
図１５〜１７には本発明の第２実施例を示す。
本実施例のシャワーユニット付き椅子（１１）の椅子（４）  は図１５に示すように４本の脚部（４１）と、該脚部（４１）に載置支持される円形板状の座部（４２）と、該座部（４２）の左右側部から立設される一対の逆Ｕ字状のアームレスト（４３，４３）  とからなる。該座部（４２）の上面にはクッションパッド（４２Ａ）  が貼着され、該座部（４２）の背面には左右一対のステー（４４，４４）  が立設され、該左右一対のステー（４４，４４）  には図１６に示す両側に該ステー（４４，４４）  の摺動孔（４５Ａ，４５Ａ）  を有する摺動板（４５）が上下摺動可能に取り付けられ、該摺動板（４５）は該摺動孔（４５Ａ，４５Ａ）  を介して該ステー（４４，４４）  に側方よりねじ（４６，４６）  によりねじ止めすることによって任意の上下位置に固定されている。
そして図１７に示すように第１実施例と同様の該シャワーユニット（３）  の取付け板（３５）の鉤状係止板（３５Ａ）  を該摺動板（４５）の上縁に係合し、該摺動板（４５）に設けられているビス孔（４５Ｂ）  を介してビス（４７）により該シャワーユニット（３）  は該摺動板（４５）に固定される。
【００３２】
本実施例では摺動板（４５）を固定しているねじ（４６，４６）  を緩めて摺動板（４５）を上下摺動させて該摺動板（４５）および該摺動板（４５）に取り付けられているシャワーユニット（３）  の高さを無段階に上下位置を調節することができる。
【００３３】
図１８〜２０には本発明の第３実施例が示される。
本実施例のシャワーユニット付き椅子（１２）の椅子（２’）は図１８に示すように第１実施例の椅子の背面、すなわち左右アームレスト（２２）の後端に摺動孔（２９Ａ）  を有する左右一対の摺動筒（２９）が設けられ、該摺動孔（２９Ａ）  には図１９に示す左右一対のステー（５１，５１）  を有する摺動板（５）  が上下摺動可能に取り付けられ、該摺動板（５）  は該摺動孔（２９Ａ）  を介して該ステー（５１，５１）  にねじ（５２）によりねじ止めすることによって任意の上下位置に固定されている。そして図２０に示すように第１実施例と同様にシャワーユニット（３）  の取付け板（３５）の鉤状係止板（３５Ａ）  を該摺動板（５）  の上縁に係合し、該摺動板（５）  に設けられているビス孔（５Ａ）を介してビス（図示しない）により該シャワーユニット（３）  は該摺動板（５）  に固定される。
【００３４】
本実施例では摺動板（５）  を固定しているねじ（５２，５２）  を緩めて摺動板（５）  を上下摺動させて該摺動板（５）  および該摺動板（５）  に取り付けられているシャワーユニット（３）  の高さを無段階に上下位置を調節することができる。
【００３５】
上記実施例において、例えば該前脚および後脚の下端にキャスターを取り付けてもよい。このようにするとシャワーユニット付き椅子を容易に移動させることができる。
またシャワーユニットの本体前面や椅子の座部にパッドを付けてもよい。このようにすると着座時の固い感触や冷感を和らげることができる。
また椅子またはシャワーユニットの本体前面や椅子の座部にアロマホルダーを取付け、該アロマホルダーにアロマタブレットをセットしてもよい。このようにすると全身シャワーを浴びながらアロマの香りが楽しめる。
【００３６】
【発明の効果】
本発明のシャワーユニット付き椅子は、全身に湯水をくまなくかけることができ、しかも取付け工事を要することなく浴室の所望の場所に簡単に設置できる。また不使用時には折り畳んでコンパクトに収納できる。
【図面の簡単な説明】
図１〜図１４は本発明の第１実施例を示すものである。
【図１】斜視図
【図２】椅子の斜視図
【図３】支持アーム接合部分分解斜視図
【図４】円盤部材分解斜視図
【図５】係止片斜視図
【図６】係止片スライド状態説明断面図
【図７】係止片ロック状態部分断面図
【図８】取付け板斜視図
【図９】取付け板係合状態側面図
【図１０】シャワーユニット背面斜視図
【図１１】シャワーユニット取付け状態側断面図
【図１２】シャワーユニット付き椅子使用状態斜視図
【図１３】シャワーユニット付き椅子の脚部折り畳み状態斜視図
【図１４】シャワーユニットを取り外した椅子折り畳み収納状態斜視図図１５〜図１７は本発明の第２実施例を示す。
【図１５】椅子斜視図
【図１６】摺動板斜視図
【図１７】シャワーユニット付き椅子斜視図図１８〜図２０は本発明の第３実施例を示す。
【図１８】椅子分解斜視図
【図１９】摺動板斜視図
【図２０】シャワーユニット付き椅子斜視図
【符号の説明】
１                        シャワーユニット付き椅子
２，２’，４                  椅子
３                        シャワーユニット
５，４５                    摺動板
２１                      支持アーム
２２                      アームレスト
２３                                前脚
２４                                後脚
２５                      座部
２６                      背当板
２７                      取付け板
２７Ａ                      スリット
２９Ａ，４５Ａ                    摺動孔
３１                                本体
３２                                首当て部
３３                      腰当部
３４                      アーム
３１Ａ，３２Ａ，３３Ａ，３４Ａ          シャワーノズル
３５                      取付け板
３５Ａ                      鉤状係止板
３５Ｃ                      ビス
４４，５１                    ステー
４６                      ねじ止め
【図１】
2004223060.tif 000003
【図２】
2004223060.tif 000004
【図３】
2004223060.tif 000005
【図４】
2004223060.tif 000006
【図５】
2004223060.tif 000007
【図６】
2004223060.tif 000008
【図７】
2004223060.tif 000009
【図８】
2004223060.tif 000010
【図９】
2004223060.tif 000011
【図１０】
2004223060.tif 000012
【図１１】
2004223060.tif 000013
【図１２】
2004223060.tif 000014
【図１３】
2004223060.tif 000015
【図１４】
2004223060.tif 000016
【図１５】
2004223060.tif 000017
【図１６】
2004223060.tif 000018
【図１７】
2004223060.tif 000019
【図１８】
2004223060.tif 000020
【図１９】
2004223060.tif 000021
【図２０】
2004223060.tif 000022